(57)【要約】【課題】  制約された取付場所に迅速に対応でき、壁面が近くても取替えの作業性が良く、製造しやすいる分岐水栓を提供することを目的とする。【解決手段】  水栓本体横の給水口に連結する水平状の分岐栓と、分岐栓に回転自在に垂直状に配置した通水部材とよりなる分岐水栓であって、分岐栓は分岐栓本体内を水平方向に移動する弁体により水栓から供給された原水の通水部材への流入を開閉し、通水部材の側部に浄水器への給水口と、浄水器からの戻り口とを設け、通水部材の上部に吐水パイプを回転自在に設けた分岐水栓とした。【選択図】  図１
2006233465.tif 000002
【特許請求の範囲】
【請求項１】
水栓本体横の給水口に連結する水平状の分岐栓と、分岐栓に回転自在に垂直状に配置した通水部材とよりなる分岐水栓であって、分岐栓は分岐栓本体内を水平方向に移動する弁体により水栓から供給された原水の通水部材への流入を開閉し、通水部材の側部に浄水器への給水口と、浄水器からの戻り口とを設け、通水部材の上部に吐水パイプを回転自在に設けた分岐水栓。
【請求項２】
水栓本体横の給水口に連結する水平状の分岐栓と、分岐栓に水平状に配置した通水部材とよりなる分岐水栓であって、分岐栓は分岐栓本体内を水平方向に移動する弁体により水栓から供給された原水の通水部材への流入を開閉し、通水部材の先端面に浄水器への給水口と浄水器からの戻り口とを有する回転自在の連結部材を設け、通水部材の上面に吐水パイプを設けた分岐水栓。
【発明の詳細な説明】
【技術分野】
【０００１】
本発明は、水道水などの原水の流入の開閉をする水栓と、水栓から供給した原水を浄化する浄化器との間に介在させる分岐水栓に関するものである。
【背景技術】
【０００２】
従来の分岐水栓としては、図４に示すものがある。
【０００３】
水道水の原水をシンク１０１に流入させたり、遮断したりする湯水混合水栓１０２は、シンク１０１の近傍で壁面１０３の近くに設けられている。また、アルカリイオン整水器などの浄水器１０４せも壁面１０３の近くに配置されている。
【０００４】
水栓１０２から原水を浄水器１０４に供給したり、浄水器１０４からの浄水を受け入れる分岐水栓１０５を、水栓１０２の水栓本体１０６横に袋ナット等を介在させて取付ける。
【０００５】
分岐水栓１０５は、端部に原水の流入を開閉する取っ手１０７を有する分岐水栓本体１０８を水平状に配置し、分岐水栓本体１０８の側部には給水口１０９と戻り口１１０を突設する。分岐水栓本体１０８の中央上部に吐水パイプ１１１を回転自在に設ける。
【０００６】
水栓１０２は、本体ブロック１１２から吐水管１１３が延出され、水栓１０２の上部には吐水管１１３から原水の流出・遮断を行うレバー１１４が設けられている。
【０００７】
浄水器１０４は正面下部に操作パネル１１５を有し、分岐水栓１０５の給水口１０９、戻り口１１０とをそれぞれ給水ホース１１６、戻りホース１１７で連結し、シンク１０１内壁に取付けたドレーン管１１８とをドレーンホース１１９で連結し、電源コード１２０で給電する。
【０００８】
分岐水栓１０５の取っ手１０７を回転して原水を浄水器１０４に給水ホース１１６により供給すると、浄水器１０４で浄化された浄水は戻りホース１１７より戻り、浄水は吐水パイプ１１１より吐水される。
【特許文献１】特開平８−０１４４２１号公報
【発明の開示】
【発明が解決しようとする課題】
【０００９】
分岐水栓１０５は壁面１０３近傍のシンク１０１天面に設置した水栓１０２に取付けられるため、弾性のある給水ホース１１６、戻りホース１１７は、シンク１０１天面、壁面１０３、水栓１０２および分岐水栓１０５に囲まれた狭い空間を通過する。
【００１０】
従来の分岐水栓１０５の吐水パイプ１１１を垂直に保持し、給水ホース１１６、戻りホース１１７の剛性を吸収するには、分岐水栓１０５の取付け角度は壁面１０３に平行にならず制限される。
【００１１】
また、分岐水栓１０５での通水抵抗を少なくすることを目的に、取っ手１０７の回転によるスピンドルの移動距離（水平に移動する弁体の距離）を多くしている。このため、原水を閉止する力が少なくなり、ウォーターハンマーなどの高水圧が付加された場合止水できなくなることがある。
【課題を解決するための手段】
【００１２】
そこで、本発明は、制約された取付場所に迅速に応じられるようにし、壁面が近くても取付けの作業性が良くなるようにし、止水機能を向上させるべく、水栓本体横の給水口に連結する水平状の分岐栓と、分岐栓に回転自在に垂直状に配置した通水部材とよりなる分岐水栓であって、分岐栓は分岐栓本体内を水平方向に移動する弁体により水栓から供給された原水の通水部材への流入を開閉し、通水部材の側部に浄水器への給水口と、浄水器からの戻り口とを設け、通水部材の上部に吐水パイプを回転自在に設けた分岐水栓とした。      
【００１３】
また、本発明は、水栓本体横の給水口に連結する水平状の分岐栓と、分岐栓に水平状に配置した通水部材とよりなる分岐水栓であって、分岐栓は分岐栓本体内を水平方向に移動する弁体により水栓から供給された原水の通水部材への流入を開閉し、通水部材の先端面に浄水器への給水口と浄水器からの戻り口とを有する回転自在の連結部材を設け、通水部材の上面に吐水パイプを設けた分岐水栓とした。
【発明の効果】
【００１４】
本発明は、水栓本体横の給水口に連結する水平状の分岐栓と、分岐栓に回転自在に垂直状に配置した通水部材とよりなる分岐水栓であって、分岐栓は分岐栓本体内を水平方向に移動する弁体により水栓から供給された原水の通水部材への流入を開閉し、通水部材の側部に浄水器への給水口と、浄水器からの戻り口とを設け、通水部材の上部に吐水パイプを回転自在に設けた分岐水栓であるので、制約された取付場所にでも迅速に対応ができ、壁面が近くても取付けの作業性が良くなり、止水機能を向上させることができる。
【００１５】
また、本発明は、水栓本体横の給水口に連結する水平状の分岐栓と、分岐栓に水平状に配置した通水部材とよりなる分岐水栓であって、分岐栓は分岐栓本体内を水平方向に移動する弁体により水栓から供給された原水の通水部材への流入を開閉し、通水部材の先端面に浄水器への給水口と浄水器からの戻り口とを有する連結部材を設け、通水部材の上面に吐水パイプを設けた分岐水栓であるので、制約された取付場所にでも迅速に対応ができ、壁面が近くても取付けの作業性が良くなり、止水機能を向上させることができる。
【発明を実施するための最良の形態】
【００１６】
本発明を添付する図面の具体的実施例に基づいて、以下詳細に説明する。
【００１７】
本発明は、水栓本体横の給水口に連結する水平状の分岐栓と、分岐栓に回転自在に垂直状に配置した通水部材とよりなる分岐水栓であって、分岐栓は分岐栓本体内を水平方向に移動する弁体により水栓から供給された原水の通水部材への流入を開閉し、通水部材の側部に浄水器への給水口と、浄水器からの戻り口とを設け、通水部材の上部に吐水パイプを回転自在に設けた分岐水栓である。
【００１８】
また、本発明は、水栓本体横の給水口に連結する水平状の分岐栓と、分岐栓に水平状に配置した通水部材とよりなる分岐水栓であって、分岐栓は分岐栓本体内を水平方向に移動する弁体により水栓から供給された原水の通水部材への流入を開閉し、通水部材の先端面に浄水器への給水口と浄水器からの戻り口とを有する連結部材を設け、通水部材の上面に吐水パイプを設けた分岐水栓である。
【００１９】
図１に請求項１の具体的実施例を示す。
【００２０】
分岐水栓は、図示していない湯水混合水栓の水栓本体の給水口に連結する水平状の分岐栓１と、分岐栓１に回転自在に垂直に配置した通水部材２とよりなる。
【００２１】
分岐栓１は、分岐栓本体３内を水平方向にスピンドル４が水平方向に移動して水栓からの原水を流入させたり遮断させたりする。
【００２２】
スピンドル４の先端には、フランジ付弁棒５を圧入し、その突出軸６にゴムなどの円盤状の弾性板７を外嵌めしてフランジ８に当接させ、ナット９を突出軸６に螺着させて弾性板７を固定する。この弾性板７の対向箇所に弁座１０を形成する。スピンドル４の基端には取っ手１１をボルト１２にて螺締する。スピンドル４は分岐栓本体３に螺合され取っ手１１を右回しに回転すると、スピンドル４は弁座１０に向け進行し、続けて右回しに回転し続けると、弾性板７はやがて弁座１０に着座し、水栓からの原水の流入を遮断する。スピンドル４の取っ手１１を左回りに回転させると弾性板７は弁座１０から離れ、原水が分岐栓本体３内に流入する。
【００２３】
なお、分岐栓本体３の側端部には、水栓本体横の給水口に連結する袋ナット１３が螺着されている。
【００２４】
通水部材２は、分岐栓１に回転自在に垂直状に配置する。
【００２５】
分岐栓１の分岐栓本体３の上部に連結管１４を螺着して分岐栓本体３内の通水路と連通させ、通水部材２下端に螺着した袋ナット１５を連結管１４に外嵌め状に螺着する。通水部材２は、袋ナット１５が連結管１４に螺合しているため、分岐栓１に対し自由に回転できる。
【００２６】
通水部材２の側部には、図示していない浄水器に原水を流出させる給水口１６と、浄水器から原水が浄化された浄水が戻ってくる戻り口１７を突出状に設ける。
【００２７】
この給水口１６・戻り口１７にはそれぞれホースニップル１８・１９、外管２０・２１を螺着する。
【００２８】
小径の給水ホース・戻りホース（図示せず）は、ホースニップル１８・１９の先端に差込み、アダプター２２・２３を内嵌めした外管２０・２１をホースニップル１８・１９に螺着して封水する。
【００２９】
大径の給水ホース・戻りホース（図示せず）は、ホースニップル１８・１９の根元部に差込み、アダプター２２・２３をホースニップル１８・１９に螺着して封水する。
【００３０】
通水路は、分岐栓１の分岐栓本体３内から連結管１４内、袋ナット１５内および給水口１６を経て浄水器に至り、浄水器から戻り口１７を経て通水部材２の上端面に至る。
【００３１】
通水部材２の上端面には、ほぼコ字状に屈曲した吐水パイプ２４を袋ナット２５を螺着することにより取付ける。高さや幅の寸法の異なる吐水パイプ２４を備えておくと、それに応じた吐水パイプ２４を装着できる。吐水パイプ２４の取替えは、袋ナット２５を緩めて通水部材２から吐水パイプ２４を取り外し、新たに取替える吐水パイプ２４に袋ナット２５を外嵌めし、通水部材２に袋ナット２５を螺締して行う。取替える吐水パイプ２４をよく使用する形状の設定にしておくと使い勝手が良い。
【００３２】
本分岐水栓では、２種類の給水ホース・戻りホースや吐水パイプの組み合わせの使用ができる。
【００３３】
したがって、本分岐水栓は、シンクの近傍で壁面に近く、水栓と浄水器の間に介在し、制約された取付場所でもその場所に応じて対応できる。
【００３４】
また、本分岐水栓は、太さの異なる給水ホース・戻りホースや、形状の異なる吐水パイプの組み合わせ使用が容易にできるので、作業性が良い。
【００３５】
さらに、本分岐水栓は、各構成部品が標準化され、製造しやすくなる。
【００３６】
図２、図３に本発明の請求項２の具体的な実施例を示す。図２はビス止め方式の分岐水栓の平面図と正面図との２面図、図３はスプリングピン止め方式の分岐水栓の平面図、正面図とＡ−Ａ断面図との３面図である。
【００３７】
分岐水栓は、図示していない湯水混合水栓の水栓本体の給水口に連結する水平状の分岐栓３１と、分岐栓３１に水平に配置した通水部材３２とよりなる。
【００３８】
分岐栓３１は分岐栓本体３３内を水平方向にスピンドル３４が水平方向に移動して水栓からの水道水を流入させたり遮断させたりする。
【００３９】
スピンドル３４の先端には、フランジ付弁棒３５を圧入し、その突出軸３６にゴムなどの円盤状弾性板３７を外嵌めしてフランジ３８に当接させ、ナット３９を突出軸３６に螺着させて弾性板３７を固定する。この弾性板３７の対向箇所に弁座４０を形成する。スピンドル３４の基端には取っ手４１をボルト４２にて螺締する。スピンドル３４は分岐栓本体３３に螺合され取っ手４１を右回しに回転すると、スピンドル３４は弁座４０に向け進行し、続けて右回しに回転し続けると、弾性板３７はやがて弁座に着座し、水栓からの水道水の流入を遮断する。スピンドル３４の取っ手４１を左回りに回転させると弾性板３７は弁座４０から離れ、水道水が分岐栓本体３３内に流入する。
【００４０】
なお、分岐栓本体３３の側端部には、水栓本体横の給水口に連結する袋ナット４３が螺着されている。
【００４１】
通水部材３２は、分岐栓３１に水平状に配置する。図示例では分岐栓３１と一体に構成されているが、必要に応じて別体で構成してもよい。
【００４２】
通水部材３２は、図示例では分岐栓本体３３と一体に水平状に突出した通水部材本体５６をカバー部材５７で覆わせ、通水部材本体５６をカバー部材５７をビス５８で螺締してなる。通水部材本体５６とカバー部材５７の水密は、Ｏリング５９で行い、カバー部材５７は通水部材本体５６の周りを３６０°回転できる。
【００４３】
カバー部材５７の側部には水道水を浄水器に流水させる給水口ホースニップル４８と、浄水器から水道水が浄化された浄水が戻ってくる戻り口ホースニップル４９を水平状に突出させる。
【００４４】
なお、水栓本体と壁面の距離が短い場合は、給水口および戻り口ホースニップル４８・４９を垂直状に突出させると良い。
【００４５】
通水路は、分岐栓３１の分岐栓本体３３内から給水口ホースニップル４８を経て浄水器に至り、浄水器から戻り口ホースニップル４９を経て通水部材３２の上端面に至る。
【００４６】
通水部材３２の上端面には、ほぼコ字状に屈曲した吐水パイプ５４を袋ナット５５を螺着することにより取付ける。高さや幅の寸法の異なる吐水パイプ５４を備えておくと、それに応じた吐水パイプ５４を装着できる。吐水パイプ５４の取替えは、袋ナット５５を緩めて通水部材３２から吐水パイプ５４を取り外し、新たに取替える吐水パイプ５４に袋ナット５５を外嵌めし、通水部材３２に袋ナット５５を螺締して行う。取替える吐水パイプ５４をよく使用する形状の２種類の設定にしておくと使い勝手が良い。
【００４７】
図３に示す実施例は、図２に示す実施例と通水部材本体５６にカバー部材５７を固定する方式が異なるだけで他は同一である。図２の場合は、ビス５８によりカバー部材５７を通水部材本体５６に固定するが、図３の場合は、通水部材本体５６外周とカバー部材５７内周の間にスプリングピン６０を嵌入させてその弾性により固定する。通水部材本体５６とカバー部材５７の水密は、Ｏリング５９で行い、カバー部材５７は通水部材本体５６の周りを３６０°回転できる。
【００４８】
したがって、給水口および戻り口ホースニップル４８・４９が壁面に対して平行に３６０°回転可能であり、給水及び戻りホースは水栓と壁面との空間を通して浄水器と接続する。このため、浄水器は水栓の左右どちら側でも設置可能となる。
【００４９】
また、本分岐水栓は、壁面が近くても、給水口、戻り口を壁面に容易に平行に配置できるので、作業性が良い。
【００５０】
さらに、本分岐水栓は、各構成部品が標準化され、製造しやすくなる。
【実施例１】
【００５１】
請求項１の一実施品の大きさは、分岐栓の幅９０ｍｍ、分岐栓本体の直径４２ｍｍ、分岐栓の中心軸線と給水口軸線との距離５５ｍｍ、給水口軸線と戻り口軸線間距離２７ｍｍ、分岐栓の中心軸線と吐水管吐出下端間距離１１５ｍｍ、吐水管の幅１５０ｍｍである。
【産業上の利用可能性】
【００５２】
本発明の分岐水栓は水道水に限らず、工業用水等の水の分岐水栓としても使用できる。
【図面の簡単な説明】
【００５３】
【図１】本発明の分岐水栓に対して通水部材を垂直に配置した分岐水栓の具体的一実施例の縦断面図である。
【図２】本発明のビス止め方式の分解水栓の平面図と正面図との２面図である。
【図３】本発明のスプリングピン止め方式の分岐水栓の平面図、正面図とＡ−Ａ断面図との３面図である。
【図４】従来の湯水混合栓と浄水器との間に介在させた従来の分岐水栓の使用状態を示す斜視図である。
【符号の説明】
【００５４】
１・３１…分岐栓
２・３２…通水部材
３・３３…分岐栓本体
４・３４…スピンドル
１６…給水口
４８…給水口ホースニップル
１７…戻り口
４９…戻り口ホースニップル
２４・５４…吐水パイプ
【図１】
2006233465.tif 000003
【図２】
2006233465.tif 000004
【図３】
2006233465.tif 000005
【図４】
2006233465.tif 000006